(57)【要約】      （修正有）【課題】簡易な方法で、ペットが容易に潜り抜けることができるペットの潜り口部材及びロールブラインド装置を提供する。【解決手段】ロールブラインド２１に取り付けられるペット用潜り部材１は、ロールブラインドの下部に設けられる支え棒を把持する把持部２と、この把持部から垂下される少なくとも１枚以上の可撓性を有するシートからなるのれん部３を有してなるものである。さらに、上記把持部から垂下されるのれん部を1枚のシートから構成し、こののれん部の略中央にペット潜り口を備えるようにしてもよい。ここで、上記ペット用潜り口の上端部に、この潜り口を覆うように１枚のシート状部材からなる蓋体、又は複数のシートをのれん状にした蓋体を備え、この蓋体は上記上端部を支点として回動可能に取り付けられるようにしてもよい。【選択図】図２
0003179716.tif 000002
【実用新案登録請求の範囲】
【請求項１】
既存のロールブラインドの下部に設けられる支え棒を把持する把持部と、
この把持部から垂下される少なくとも１枚以上の可撓性を有するシートからなるのれん部と、
を有してなるロールブラインドに取り付けられるペット用潜り部材。
【請求項２】
上記のれん部を構成するシートの下端縁に重りを備えてなる請求項1記載のロールブラインドに取り付けられるペット用潜り部材。
【請求項３】
上記のれん部を構成するシートの少なくとも一部を透明な合成樹脂材としてなる請求項1又は２記載のロールブラインドに取り付けられるペット用潜り部材。
【請求項４】
上記把持部から垂下されるのれん部を1枚のシートから構成し、
こののれん部の略中央にペット潜り口を備えてなる請求項１乃至３のいずれか１項に記載のロールブラインドに取り付けられるペット用潜り部材。
【請求項５】
上記ペット用潜り口に１枚のシート又は複数のシートによるのれん状の蓋体が上端部を支点として回動可能に取り付け有られてなる請求項４記載のロールブラインドに取り付けられるペット用潜り部材。
【請求項６】
上記請求項1乃至５のいずれか１項に記載のペット用潜り部材が取り付けられてなるロールブラインド装置。
【請求項７】
ブラインド布の下部に結合して取り付けられる複数の可撓性を有するシートからなるのれん部を有し、
上記のれん部のシートの下端部に分割された支え棒を備えてなるロールブラインド装置。
【請求項８】
上記分割された支え棒は、各支え棒が相対向する側面に設けられた磁石により分割可能に連結されてなる請求項７記載のロールブラインド装置。
【請求項９】
上記のれん部を構成するシートの少なくとも一部を透明な合成樹脂材としてなる請求項７又は８記載のロールブラインド装置。
【考案の詳細な説明】
【技術分野】
【０００１】
本考案は、部屋を仕切るドアや襖、或いは障子戸の補助的なものとして用いられるロールブラインド装置に適用されるペット用品の分野に関するものである。
【背景技術】
【０００２】
従来、室内で飼う猫や犬などのペットを部屋から部屋への移動を自由にさせるためには、ドアや襖等を開けたままの状態にしたり、障子戸には障子を張らない枠を残して、ペットが潜り抜けられるように対応していた。
【０００３】
また、襖や板ドアには、直接穴を開けて、ペットが潜り抜けられるようにするものもある。
【０００４】
しかしながら、アパート等の借家においては襖などに直接穴を開けることは部屋の貸主との間で問題を生じ、又、引越しに際して現状回復等の問題が生じる。
【０００５】
また、襖や障子戸を開けたままにしておくと、室内外での空気の対流が生じ、エアコン等による冷暖房効率が悪くなる。
【０００６】
そこで、下記特許文献1に示すような、ペットの潜り口を設けたロール状のブラインド装置５０が提案されている。これは、図７に示すように、ブラインド布５１において室内外を区分けし、空気の対流を抑制するとともに、ブラインド布５１の下側部に設けたペット潜り口５２によりペットの自由な部屋間移動を達成しようとするものである。
【０００７】
この図７に示すブラインド装置５０は、ブラインド布５１にペット潜り口５２を設ける外は、通常のブラインド装置と同様に、上部にブラインド布５１の昇降操作を行う巻き取り機構５３を備えると共に、下端側には、巻き上げ又は巻き下ろし時のストッパーとなる支え棒５４を有してなるものである。
【０００８】
また、上記ブラインド装置５０のブラインド布５１に設けられたペット潜り口５２には、この潜り口５２を開閉する蓋体５５が取り付けられている。
【先行技術文献】
【特許文献】
【０００９】
【特許文献１】特開２００５−８３０７１号公報
【考案の開示】
【考案が解決しようとする課題】
【００１０】
しかしながら、上記従来の先行特許文献1に示すロール状のブラインド装置５０においては、実際には、ブラインド布５１の下端部の支持が不安定になり易いため、狭く限定された潜り口５２では、視界が遮られてしまい、ペットが恐がり容易に潜り抜けようとせず、ペットがなれて潜れるようになるまでに相当の時間を要していた。
【００１１】
また、上記ブラインド装置５０においては、ブラインド布５１内に直接開設された潜り口５２の蓋体５５が膨らんだり捩じれたりしてブラインド布５１のロールアップの障害となり、実際には完全に巻き上げてブラインド布５１を巻き上げ機構５３内に収納することができなくなるという問題があった。
【００１２】
そこで、本考案は、上記問題点を解決し、簡易な方法で、ペットが容易に潜り抜けることができるペットの潜り口部材及びロールブラインド装置を提供することを目的とする。
【課題を解決するための手段】
【００１３】
上述した目的を達成する本考案に係るロールブラインドに取り付けられるペット用潜り部材は、既存のロールブラインドの下部に設けられる支え棒を把持する把持部と、この把持部から垂下される少なくとも１枚以上の可撓性を有するシートからなるのれん部とを有してなるものである。
【００１４】
なお、上記のれん部を構成するシートの下端縁に重りを備えてもよい。
【００１５】
また、上記のれん部を構成するシートの少なくとも一部を透明な合成樹脂材としてもよい。
【００１６】
さらに、上記把持部から垂下されるのれん部を1枚のシートから構成し、こののれん部の略中央にペット潜り口を備えるようにしてもよい。
【００１７】
ここで、上記ペット用潜り口の上端部に、この潜り口を覆うように１枚のシート状部材からなる蓋体、又は複数のシートをのれん状にした蓋体を備え、この蓋体は上記上端部を支点として回動可能に取り付けられるようにしてもよい。
【００１８】
なお、本考案は、上記ペット用潜り部材が下部に一体に取り付けられたロールブラインド装置としてもよい。
【００１９】
また、本考案は、上記のれん部を構成するシートがロールブラインド装置のブラインド布の下部に一体に結合して取り付けられたものとしてもよい。
【００２０】
このとき上記ブラインド布の下部に設けられる支え棒は、上記のれん部を構成するシートの下端部に分割された支え棒として設ければよい。
【００２１】
そして、この分割された支え棒は相対向する側面に設けられた磁石（マグネット）により分割可能に連結されるようにしてもよい。
【００２２】
なお、この場合も上記のれん部のシートの少なくとも一部を透明な合成樹脂材より構成してもよいことは言うまでもない。
【考案の効果】
【００２３】
本考案に係るペット用潜り部材によれば、部屋を分割して区切るロールブラインドに対し、ペットが潜れるようにした潜り部材を取り付けることができるので、簡易な方法で、ペットの部屋間の移動を可能としつつ部屋を仕切ることができる。
【００２４】
また、本考案に係るペット用潜り部材は、専用品としてロールブラインドを加工する必要がないので、安価に提供することができる。
【００２５】
さらに、ロールブラインド装置の不使用・収納時には簡易に取り外しができ、ロールブラインドの巻き上げの阻害となることがない。
【００２６】
また、本考案に係るブラインド布に直接のれん部を接合したタイプのロールブラインド装置によれば、ペットが恐がることなく容易にのれん部を潜り抜けることができ、且つブラインド布の収納に支障をきたすことなく最後の支え棒に至るまで巻き上げ収納することができる。
【図面の簡単な説明】
【００２７】
【図１】のれんタイプの本考案に係るペット用潜り部材を示す（ａ）は正面図、（ｂ）は側面図である。
【図２】上記のれんタイプの本考案に係るペット用潜り部材をロールブラインドに取り付けた状態を示す正面図である。
【図３】上記のれんタイプの本考案に係るペット用潜り部材の先端部に重りを付けた状態を示す（ａ）は正面図、（ｂ）は側面図である。
【図４】潜り口タイプの本考案に係るペット用潜り部材を示す正面図である。
【図５】上記潜りタイプの本考案に係るペット用潜り部材の変形例として潜り口の蓋体をのれん状にしたものを示す正面図である。
【図６】のれんタイプのペット用潜り部材を直接ロールブラインド装置のブラインド布に結合したものを示す正面図である。
【図７】従来のペット用潜り口を有するロールブラインドを示す（ａ）は正面図、（ｂ）は側断面図である。
【考案を実施するための最良の形態】
【００２８】
以下、本考案について図面に示した実施の形態を参照して詳細に説明する。
【００２９】
先ず、のれんタイプの本考案に係るペット用潜り部材１について、図１及び図２を用いて説明する。
【００３０】
のれんタイプの本考案に係るペット用潜り部材１は、図２に示すように、既存のロールブラインド装置２０のブラインド布２１の下部に取り付けられる支え棒２２を把持する把持部２と、この把持部２から垂下される少なくとも１枚以上の可撓性を有するシートからなるのれん部３とを有するものである。
【００３１】
本考案に係るペット用潜り部材１の把持部は、塩化ビニルやシリコン等の合成樹脂材からなり、ブラインド布５１の下部に設けられる支え棒５４の長さに対応した筒状体４と、この筒状体４の一部が切り欠き解放された切り欠き部５とを備えるものである。
【００３２】
そして、この切り欠き部５の相対向する両端５ａ，５ｂは、上記筒状体４の直径よりも短い距離となされている。
【００３３】
従って、上記筒状体４をなす把持部２の上端側において切り欠かれた切り欠き部５から、この切り欠き部５の相対向する両端５ａ，５ｂの距離よりも大きな直径を有する既存のロールブラインド装置２０のブラインド布２１の下部に取り付けられる支え棒２２を挿入することにより、当該支え棒２２を把持できるようになされている。
【００３４】
よって、既存の上記ロールブラインド装置２０の支え棒２２を上記把持部２によって把持することにより、このペット用潜り部材１は上記ロールブラインド装置２０の下端側に連続して固定されて取り付けられる。
【００３５】
次に、上記把持部２の切り欠き部５とは反対側となる筒状体４の下端側にはのれん部３が垂下されて取り付けられている。この実施の態様においては、上記のれん部３は、４枚のシート３ａ，３ｂ，３ｃ，３ｄに分割されて取り付けられる。
【００３６】
こののれん部３の高さ方向の長さは、ペットの体高や目線を考慮して適宜決定すれば良い。この例においては、小型犬を考慮して３０ｃｍから５０ｃｍ程度の高さ（長さ）としている。
【００３７】
上記のれん部３は、上記把持部２と同様の素材である塩化ビニルやシリコン等の合成樹脂材を薄いシート状に形成したものであって、やわらかく構成され、可撓性を有している。
【００３８】
従って、犬や猫がぶつかると容易に撓み、犬や猫等のペットが容易に潜り抜けることができるようになされている。
【００３９】
本考案ペット用潜り部材１を構成する上記把持部２とのれん部３とは、上記の如く同一の素材により一体形成したものに限らず、別の素材を接合してなるものであってもよい。
【００４０】
例えば、のれん部３のシート体を構成する材料として、上記ブラインド布２１と同一の布、又はその他の布地や織物によるものでもよく、さらには塩化ビニルやポリプロピレン等の合成樹脂材から構成されたシート体をのれん部３として上記把持部２に接合したものであってもよい。
【００４１】
上述のように構成されるのれんタイプの本考案に係るペット用潜り部材１は、図２に示すように、既存の上端部に巻き取り機構２３を有するロールブラインド装置２０のブラインド布２１の先端下部に設けられる支え棒２２を把持して取り付けられる。
【００４２】
そして、このペット用潜り部材１ののれん部３先端が床に付く程度にブラインド布２１を巻き下ろせば、部屋と部屋との空間を仕切ることができるとともに、ブラインド布２１の下側に取り付けられたこのペット用潜り部材１ののれん部３をペットが容易に潜り抜けて、部屋と部屋との間の移動を行うことができるようになる。
【００４３】
次に、上記のれん部３を構成する各シート３ａ，３ｂ，３ｃ，３ｄには、図３に示すように、その下端縁に重り６ａ，６ｂ，６ｃ，６ｄを備えてもよい。
【００４４】
この重り６ａ，６ｂ，６ｃ，６ｄは、のれん部３の各シート３ａ，３ｂ，３ｃ，３ｄが風に揺れて不要な動きを防止するものであって、ペットがこののれん部３を潜り抜ける際の妨げにならない程度の重さの重りとされる。
【００４５】
また、この重り６ａ，６ｂ，６ｃ，６ｄをマグネットにより構成し、ペットが通過しないときには、各シート３ａ，３ｂ，３ｃ，３ｄが磁力により連結固定されるようにしてもよい。
【００４６】
なお、上記重り６ａ，６ｂ，６ｃ，６ｄの相対向する両端側のみをマグネットにより構成するようにしてもよいことはもちろんである。
【００４７】
また、上記のれん部３を構成する各シート３ａ，３ｂ，３ｃ，３ｄをポリプロピレンや塩化ビニル等の透明な合成樹脂材料により構成するものとしてもよい。
【００４８】
のれん部３が透明であると、のれん部３の向こう側が透けて見えるので、ペットがこののれん部３を潜る際の恐怖感が緩和され、容易に潜り抜けることができるようになる。
【００４９】
次に、潜り口タイプの本考案に係るペット用潜り部材３０について、図４及び図５を用いて説明する。
【００５０】
潜り口タイプの本考案に係るペット用潜り部材３０は、上述のロールブラインド装置２０のブラインド布２１の下部に設けられる支え棒２２を把持する把持部３１と、この把持部から垂下される1枚のシート状部３２を有し、このシート状部３２の略中央にペット潜り口３３を備えてなるものである。
【００５１】
この潜り口タイプのペット用潜り部材３０において、上記把持部３１は上述したのれんタイプのものと同様な構造であるため、その説明は省略する。
【００５２】
一方、把持部から垂下されるのは１枚のシート状部３２であって、そのペット潜る口３３は、ペットが潜り抜けられる程度の大きさ、この例においては、縦横２０ｃｍ程度のペット潜り口３３として設けられている。
【００５３】
そして、上記ペット用潜り口３３の上端側に、この潜り口３３を覆うように１枚のシート状の蓋体３４が取り付けられている。
【００５４】
この蓋体３４は、上記上端側を支点として回動可能にシート状部３２に取り付けられており、この蓋体３４により潜り口３３を開閉可能としてなる。
【００５５】
このように１枚のシート状部３２にペット用潜り口３３を設けることによっても、ロールブラインド装置２０で部屋と部屋との間を区切りつつペットの移動を可能とすることができる。
【００５６】
なお、この潜り口タイプのペット用潜り部材３０において、上記ペット用潜り口３３に設けられる蓋体３４は、図５に示すように、この潜り口３３を覆うようにした複数のシートをのれん状に構成したのれん状蓋体３５としたものであってもよい。
【００５７】
ここで、こののれん状蓋体３５において、上記のれんタイプのものと同様に、その素材を透明な合成樹脂材料としたり、シート先端となる可動側下端部において重りやマグネットを取り付けてもよいことは言うまでもない。
【００５８】
なお、本考案は、図２に示すように、上記のれんタイプや潜り口タイプのペット用潜り部材を予めブラインド布２１の下部の支え棒２２に取り外し可能に一体に取り付けられたロールブラインド装置としてもよい。
【００５９】
次に、本考案は、図６に示すように、ロールブラインド装置４０のブラインド布４１の下部にのれん部４２を構成する複数のシート４２ａ、４２ｂ、４２ｃ、４２ｄが一体に結合して取り付けられたものとしてもよい。
【００６０】
ここで、ブラインド布４１と上記シート４２ａ、４２ｂ、４２ｃ、４２ｄとの一体結合するには、シート４２ａ、４２ｂ、４２ｃ、４２ｄの上端をブラインド布４１に対し接着又は縫合等により結合することとすればよい。
【００６１】
また、ブラインド布４１自体の下端側を切断して分割し、シート４２ａ、４２ｂ、４２ｃ、４２ｄを構成するようにしてもよい。
【００６２】
次に、上記のれん部４２の下端部には支え棒４３が取り付けられている。
【００６３】
すなわち上記のれん部４２を構成するシート４２ａ、４２ｂ、４２ｃ、４２ｄの下端部に、それぞれ分割された支え棒４３ａ、４３ｂ、４３ｃ、４３ｄが取り付けられている。
【００６４】
分割された支え棒４３ａ、４３ｂ、４３ｃ、４３ｄの各シート４２ａ、４２ｂ、４２ｃ、４２ｄの下端部への取り付けは、シート４２ａ、４２ｂ、４２ｃ、４２ｄの下端部により支え棒４３ａ、４３ｂ、４３ｃ、４３ｄをそれぞれ巻回して保持する方法や支え棒４３ａ、４３ｂ、４３ｃ、４３ｄによりシート４２ａ、４２ｂ、４２ｃ、４２ｄの下端部をそれぞれ把持する方法を用いることができる。
【００６５】
そして、この分割された支え棒４３ａ、４３ｂ、４３ｃ、４３ｄは、それぞれ相対向する側面に設けられた磁石４４により連結可能とされ、一本の連続した支え棒４３となることができるようになされている。
【００６６】
この支え棒４３は、のれん部４２の各シート４２ａ，４２ｂ，４２ｃ，４２ｄや、ブラインド布４１自体が風に揺れて不要な動きをするのを防止したり、このブラインド布４１の巻き上げに際し、下端側を上記磁石４４により連結して一体化し、スムーズな巻き上げを実現するためのものある。従って、ペットがこののれん部４２を潜り抜ける際の妨げにならない程度の重さの支え棒４３とされている。
【００６７】
次に、上記のれん部４２は、その各シート４２ａ，４２ｂ，４２ｃ，４２ｄの少なくとも一部を透明な合成樹脂材より構成してもよい。
【００６８】
この実施の態様においては、中央のシート４２ｂ，４２ｃの一部をポリプロピレンや塩化ビニル等の透明な合成樹脂材により構成したドーム型の透明部４５、４６を設けている。
【００６９】
このように、のれん部４２の一部において透明であると、のれん部４２の向こう側が透けて見えるので、ペットがこののれん部４２を潜る際の恐怖感が緩和され、容易に潜り抜けることができるようになる。
【００７０】
また一方、各シート４２ａ，４２ｂ，４２ｃ，４２ｄの透明部以外の部分については、色々なデザインの柄・模様を付すことができ意匠的な面白みを出すことができる。
【００７１】
なお、本実施の形態においては、透明部分４５、４６の形状を二つ合わせてドーム型としたが、この例に限定されることなく、意匠的な面白みを出すように色々な形状の透明部分の形状としてもよいことは言うまでもない。
【符号の説明】
【００７２】
１，３０  ペット用潜り部材、２，３１  把持部、３，４２  のれん部、４  筒状体、５  切り欠き部、６  重り、２１，４１，５１  ブラインド布、２２，４３，５４  支え棒、３２  シート状部、３３  ペット用潜り口、３４  蓋体
【図１】
0003179716.tif 000003
【図２】
0003179716.tif 000004
【図３】
0003179716.tif 000005
【図４】
0003179716.tif 000006
【図５】
0003179716.tif 000007
【図６】
0003179716.tif 000008
【図７】
0003179716.tif 000009